(57)【要約】【課題】  従来、レンタル機の入出庫管理が人手による目視に頼っているため、その確認体制に弱点があった。また、貸し出したレンタル機が犯罪に利用されることが増加している。本発明は、上記事項を考慮して創案されたもので、入出庫遠隔監視管理システムを採用することにより、管理体制を自動化し、且つ犯罪に対するセキュリティを確保した入出庫遠隔監視管理システムを提供するものである。【解決手段】  管理本部と管理基地局をＬＡＮ又はインターネットで連結し、該管理基地局には各々機材センターを設けて親送受信機を具備し、該管理基地局が管轄するレンタル機には各々子送受信機を装備し、該管理本部及び管理基地局とレンタル機間の送受信によって得られた各種情報を該管理本部並びに管理基地局の端末機及び管理一覧表示板にリアルタイムに反映させ、表示させることを特徴とする入出庫遠隔監視管理システム。  【選択図】図１
2005149003.tif 000002
【特許請求の範囲】
【請求項１】
管理本部と管理基地局をＬＡＮ又はインターネットで連結し、該管理基地局には各々機材センターを設けて親送受信機を具備し、該管理基地局が管轄するレンタル機には各々子送受信機を装備し、該管理本部及び管理基地局とレンタル機間の送受信によって得られた各種情報を該管理本部並びに管理基地局の端末機及び管理一覧表示板にリアルタイムに反映させ、表示させることを特徴とする入出庫遠隔監視管理システム。  
【請求項２】
親送受信機は、特定小電力無線とし、常時、信号を発信してなることを特徴とする請求項１に記載の入出庫遠隔監視管理システム。
【請求項３】
子送受信機は、レンタル機のバッテリを電源とし、ＯＮ及びＯＦＦ状態をタイマーにより時間制御してなることを特徴とする請求項１又は２に記載の入出庫遠隔監視管理システム。
【請求項４】
子送受信機は、各々固有のＩＤ番号によって送受信可能としてなることを特徴とする請求項１ないし３のいずれかに記載の入出庫遠隔監視管理システム。
【請求項５】
各種情報は、レンタル機の入出庫情報及び付加情報であることを特徴とする請求項１ないし４のいずれかに記載の入出庫遠隔監視管理システム。
【請求項６】
入出庫情報は、レンタル機の貸出可能の有無、在庫数、貸出先、入出庫日時、貸出期間等であることを特徴とする請求項５に記載の入出庫遠隔監視管理システム。
【請求項７】
付加情報は、レンタル機の点検の有無、点検予定日、整備の有無、整備予定日、特自検期日等であることを特徴とする請求項５に記載の入出庫遠隔監視管理システム。
【請求項８】
子送受信機は、レンタル機のエンジンの始動機器と連結され、始動信号は親送受信機に送信されることを特徴とする請求項１ないし７のいずれかに記載の入出庫遠隔監視管理システム。
【請求項９】
親送受信機は、子送受信機にエンジンロック信号又は／及び作業機器ロック信号を送信することにより、レンタル機の作動を制御してなることを特徴とする請求項１ないし８のいずれかに記載の入出庫遠隔監視管理システム。  
【発明の詳細な説明】
【技術分野】
【０００１】
本発明は、遠隔地に点在する支店等の管理基地局が管轄する各種レンタル機の入出庫情報等を該管理基地局で管理する他、本店等の管理本部でもリアルタイムに当該情報を把握できる入出庫遠隔監視管理システムに関する。また、夜間或いは休日等の不自然と考えられる時間帯に発生した該レンタル機の作動を、該管理基地局や管理本部より制御することのできる入出庫遠隔監視管理システムに関する。
【背景技術】
【０００２】
従来、貸し出したレンタル機が定められた管理基地局に返却されたかどうかの確認は、人間が目視により行なっていた。更に、その確認した結果は、人手により伝票に記入し、コンピュータに入力することにより当該管理基地局において管理していた。そしてその情報が各管理基地局より管理本部へ連絡され、それらの情報が集計されるシステムを採用していた。
【特許文献１】特開２００２−２１５８１９号公報
【発明の開示】
【発明が解決しようとする課題】
【０００３】
しかしながら、上記のような管理システムは、レンタル機の返却状況をその都度人手により確認しなければならず、そのためには該レンタル機が各管理基地局に戻ることが必要最低条件であった。
【０００４】
また、該レンタル機が各管理基地局に戻されても、借主が該管理基地局に連絡することなく、帰ってしまうこともあり、返却時点でも管理することが不能となることもあった。
【０００５】
更に、確認した結果を人手により伝票に記入し、コンピュータに入力することになるが、記入或いは入力ミスが生じることがあり、そのミスが管理本部へも連絡され、管理体制全体に不都合が生じるという欠点があった。
【０００６】
上記システムを採用しているため、次回にレンタル機を貸し出す準備作業やその他の作業までに一定の時間を必要としていた。
【０００７】
更に、近年、レンタル機が盗難され、物を破壊する手段として犯罪に利用されることが多くなり、各管理基地局や管理本部では該レンタル機を貸し出している状況下のためにその管理を十分に行なうことができなかった。
【０００８】
本発明は、上記のような問題を解決するために創案されたもので、各管理基地局に親送受信機を設け、且つ、各々のレンタル機に子送受信機を設けることにより、各管理基地局の管轄する一定の地域内に存在するレンタル機を各管理基地局及び管理本部において現在の状況の把握、次回の貸し出しやその他の作業のための準備作業等を自動的に行なうことのできる入出庫遠隔監視管理システムを提供するものである。  
【０００９】
また、貸し出したレンタル機のエンジンの始動信号の受信並びにエンジンロック信号及び作業機器ロック信号を送信し、レンタル機の作動を管理基地局や管理本部で制御する遠隔監視管理システムを提供するものである。
【課題を解決するための手段】
【００１０】
本発明は、上記課題を解決するためになされたもので、管理本部と管理基地局をＬＡＮ又はインターネットで連結し、該管理基地局には各々機材センターを設けて親送受信機を具備し、該管理基地局が管轄するレンタル機には各々子送受信機を装備し、該管理本部及び管理基地局とレンタル機間の送受信によって得られた各種情報を該管理本部並びに管理基地局の端末機及び管理一覧表示板にリアルタイムに反映させ、表示させることを特徴とする入出庫遠隔監視管理システム。  
【００１１】
また、上記親送受信機は、特定小電力無線とし、常時、信号を発信してなる入出庫遠隔監視管理システムを特徴とする。
【００１２】
更に、上記子送受信機は、レンタル機のバッテリを電源とし、ＯＮ及びＯＦＦ状態をタイマーにより時間制御してなる入出庫遠隔監視管理システムを特徴とする。
【００１３】
また、上記子送受信機は、各々固有のＩＤ番号によって送受信可能としてなる入出庫遠隔監視管理システムを特徴とする。
【００１４】
更に、上部各種情報は、レンタル機の入出庫情報及び付加情報である入出庫遠隔監視管理システムを特徴とする。
【００１５】
また、上記入出庫情報は、レンタル機の貸出可能の有無、在庫数、貸出先、入出庫日時、貸出期間等である入出庫遠隔監視管理システムを特徴とする。
【００１６】
更に、上記付加情報は、レンタル機の点検の有無、点検予定日、整備の有無、整備予定日、特自検期日等である入出庫遠隔監視管理システムを特徴とする。
【００１７】
また、上記子送受信機は、レンタル機のエンジンの始動機器と連結され、始動信号は親送受信機に送信される入出庫遠隔監視管理システムを特徴とする。
【００１８】
更に、上記親送受信機は、子送受信機にエンジンロック信号又は／及び作業機器ロック信号を送信することにより、レンタル機の作動を制御してなる入出庫遠隔監視管理システムを特徴とする。  
【発明の効果】
【００１９】
本発明は、管理本部及び管理基地局とレンタル機間の送受信によりレンタル機の各種情報が管理本部及び各管理基地局にリアルタイムに送信され、それらが端末機及び管理一覧表示板で表示されるので、レンタル機の貸し出し情報やその他の各種情報が即座に把握することが可能となった。
【００２０】
また、各種情報を管理本部により一括集中管理することができるので、従来の各管理基地局での個別の分割管理体制或いはそれら管理基地局を経由してからの各種情報を集約する一括管理体制と比較してミスが少なく、且つ管理工数を大幅に削減することが可能となった。
【００２１】
更に、各管理基地局より貸し出したレンタル機のエンジンの始動信号を管理本部及び管理基地局で受信することにより、当該エンジンのロックや作業機器のロックを遠隔地より自動的に制御することが可能となった。  
【発明を実施するための最良の形態】
【００２２】
以下、本発明の実施の形態について、図面に基づいて説明する。
図１は、本発明の入出庫遠隔監視管理システムの全体の構成を示すものである。核となる各支店等の管理基地局Ａ１、Ａ２、Ａ３・・・には、機材センター１ａ、１ｂ、１ｃ・・・が設けられ、該機材センター１ａ、１ｂ、１ｃ・・・は、一定の地域を無線によりカバーできるように構成している。上記管理基地局Ａ１、Ａ２、Ａ３・・・の機材センター１ａ、１ｂ、１ｃ・・・には、各々親送受信機を備えている。
【００２３】
該親送受信機は、特定小電力無線とし、常時、信号を発信している。他方、レンタル機Ｂ１、Ｂ２、Ｂ３・・・には、各々子送信機と子受信機が設けられ、上記親送受信機からの信号を該子受信機が受信し、子送信機により信号を送信している。
【００２４】
上記管理基地局Ａ１、Ａ２、Ａ３・・・相互は社内ＬＡＮネットワーク或いはインターネットにより連絡され、各々基材センター１ａ、１ｂ、１ｃ・・・で情報を共有化することができる。更に、それら各々の管理基地局の情報は、管理本部Ｘへ社内ＬＡＮネットワーク或いはインターネットにより連結され、上記同様、リアルタイムに情報を共有化することができる。
【００２５】
上記送受信の状況は、各管理基地局Ａ１、Ａ２、Ａ３・・・の機材センター１ａ、１ｂ、１ｃ・・・及び管理本部Ｘのコンピュータに記憶され、該基材センター１ａ、１ｂ、１ｃ・・・のコンピュータ端末機２ａ、２ｂ、２ｃ・・・及び管理本部Ｘの端末機２Ｘ・・・のディスプレイに自動的に表示できるように連結され、同時に、管理本部Ｘのテレビモニタの管理一覧表示板３にも自動的に表示される。
【００２６】
各レンタル機Ｂ１、Ｂ２、Ｂ３・・・に設けられた子送受信機の電源は、該レンタル機Ｂ１、Ｂ２、Ｂ３・・・のバッテリーから得ることができ、省エネのため電源のＯＦＦ状態のスリープモードとＯＮ状態のアクティブモードとをタイマーにより時間制御管理している。例えば、５分毎に上記状態を繰り返すことができる。これにより、情報の伝達は５分遅れとはなるが、レンタル機Ｂ１、Ｂ２、Ｂ３・・・のバッテリの消費を削減し、且つ最新情報を得ることが可能となる。上記時間制御は適宜設定することができる。
【００２７】
該各レンタル機Ｂ１、Ｂ２、Ｂ３・・・の子送受信機には、固有のＩＤ番号を組み込み、管理基地局Ａ１、Ａ２、Ａ３・・・或いは管理本部Ｘから発信される信号の混信を防止することができる。これにより各管理基地局により数千台から約１万台程度までのレンタル機Ｂ１、Ｂ２、Ｂ３・・・を管理することができる。  
【００２８】
上記システムにより、管理本部Ｘ或いは各管理基地局Ａ１、Ａ２、Ａ３・・・から特定の管理基地局Ａ１、Ａ２、Ａ３・・・の各種情報を端末機２ａ・・・２Ｘから読み取ることができる。
【００２９】
また、同様に、各管理基地局Ａ１、Ａ２、Ａ３・・・の端末機２ａ、２ｂ、２ｃ・・・を利用して管理本部Ｘの集計した情報を得ることができ、全体の出庫情報、休車情報及び在庫情報等の各種情報をリアルタイムで得ることができ、且つ、次回の貸し出し効率の向上、その他必要とする各種情報を得ることができる。
【００３０】
上記各種情報としては、レンタル機Ｂ１、Ｂ２、Ｂ３・・・の入出庫情報の他、当該レンタル機Ｂ１、Ｂ２、Ｂ３・・・の点検状態、整備状態等の付加情報がある。
【００３１】
上記入出庫情報には、貸出可能の有無、在庫数、貸出先、入出庫日時、貸出期間等が有り、該付加情報には、主としてメンテナンス情報となる点検の有無、点検予定日、整備の有無、整備予定日、特自検期日等が有る。
【００３２】
また、レンタル機Ｂ１、Ｂ２、Ｂ３・・・のエンジンの始動信号を基材センター１ａ、１ｂ、１ｃ・・・が受信することにより、当該レンタル機Ｂ１、Ｂ２、Ｂ３・・・の夜間及び休日等の不自然と考えられる時間帯の作動を管理本部Ｘ又は管理基地局Ａ１、Ａ２、Ａ３・・・からセキュリティーを図ることができる。それは当該レンタル機Ｂ１、Ｂ２、Ｂ３・・・を利用した犯罪を未然に防止することができる。近年、レンタル機が盗難され犯罪に利用されることが増加しているが、該管理本部Ｘ又は管理基地局Ａ１、Ａ２、Ａ３・・・からのエンジンロック信号や作業機器ロック信号によりレンタル機Ｂ１、Ｂ２、Ｂ３・・・の始動や作動をロックすることを可能としている。
【００３３】
図２は、本発明の入出庫遠隔監視管理システムにおける入出庫システムのフローチャート図で、上記に示した管理体制の一部である入出庫の手順を示している。
【図面の簡単な説明】
【００３４】
【図１】本発明の入出庫遠隔監視管理システムの概要図。
【図２】本発明の入出庫遠隔監視管理システムの一部を示したフローチャート図。
【符号の説明】
【００３５】
Ａ１、Ａ２、Ａ３・・・・管理基地局
Ｘ            ・・・・・管理本部
１ａ、１ｂ、１ｃ・・・・基材センター
Ｂ１、Ｂ２、Ｂ３・・・・レンタル機
２ａ、２ｂ、２ｃ・・・・管理基地局のコンピュータ端末機
２Ｘ          ・・・・・管理本部のコンピュータ端末機
３            ・・・・・管理一覧表示板
【図１】
2005149003.tif 000003
【図２】
2005149003.tif 000004